(57)【要約】【課題】従来の遊底より簡単な構造で撃発、撃針の復帰、撃針の暴発防止機構の実現。遊底の部品を省き遊底の小型化、遊底の製造コスト削減を行う。行う。【手段】遊底４内に遊底の先端面４ａから撃発バネ６の弾性力により、貫通孔４ｂに突出自在な撃針５に、蔓状の撃針制限カム８ｃに係合可能な撃針カム５ａを設け、無端蔓状の撃針制限カム８ｃに撃発機構  、撃針復帰機構、  暴発防止機構を設ける【選択図】図１
2005172407.tif 000002
【特許請求の範囲】
【請求項１】
カム溝Ｇを利用する遊底式機関砲の撃発機構であり、前進後退自在な遊底４内に、遊底４の先端面４ａから撃発バネ６の弾性力により、貫通孔４ｂから突出自在な撃針５に撃針カム５ａを設け、撃針カム５ａに係合できる蔓状のカム８ｃを設ける。撃発、遊底の後退に応じての撃針の復帰、弾薬の暴発の防止を、遊低４の前進後退の往復に基づいて蔓状のカム８ｃが行なう遊底式機関砲の撃発機構。
【請求項２】
撃針カム５ａが遊底４から突出可能な請求項１の遊底式機関砲の撃発機構。
【請求項３】
蔓状カム８ｃと撃針カム５ａが係合することによって、撃針５の前進を制限し、その結果、撃針５の偶発的な作動による弾薬３の暴発を防止する効果を含む請求項２の遊底式機関砲の撃発機構。
【請求項４】
蔓状カム８ｃに撃針５を撃発させるために撃発位置のみ撃針カム５ａと蔓状カム８ｃとの係合を解除をする解除位置８ｅを形成している請求項３の遊底式機関砲の撃発機構。
【請求項５】
蔓状カム８ｃと撃針カム５ａが係合することによって、撃針の復帰を行なう請求項４の遊底式機関砲の撃発機構。
【発明の詳細な説明】
【技術分野】
【０００１】機関砲の遊底の撃発機構とその作動カムの構造。【０００２】本発明は特に、回転薬室型機関砲の遊底の撃発機構に関するものである。
【技術背景】
【０００３】従来の機関砲の遊底は撃発機構を遊底と撃発体の二分割した構造や、遊底と撃発体を１つにした物もあったが、撃針の撃発、撃針の復帰、弾薬の暴発を防ぐ、撃針の暴発防止機構を行うには可動部品が多かった。それにより遊底が肥大化していた。小口径に転用する場合でも必要最低限の大きさが必要で、構造的に小口径には転用し難いものであった。当然遊底の部品数が多い分、製造にもコストがかかる。
【発明の開示】
【本発明が解決しようとする課題】
【０００４】従来の遊底より簡単な構造で撃発、撃針の復帰、撃針の暴発防止機構の実現。遊底の部品を省き遊底の小型化、遊底の製造コスト削減を行う。
【課題を解決するための手段】
【０００５】この課題は遊底内に遊底の先端面から撃発バネの弾性力により、貫通孔に突出自在な撃針に、無端蔓状カムと係合可能な撃針カムを設け、無端蔓状のカムに撃発機構  、撃針復帰機構、  暴発防止機構を設けることによって解決される。
【０００６】蔓状カムは撃針カムの前方に位置をとり、撃針の前進の制限を行い、撃針カムの解放位置を設け、遊底が前進位置で停止した後、解放位置で撃針カムを解放し、撃発バネの弾性力を利用し撃針を前進させる。
【０００７】蔓状カムが撃針カムの前方に位置することによって、撃針の前進を制限し、その結果、弾薬の撃発終了後、遊底が後退し弾薬を給弾する前に、蔓状カムが撃針カムと係合することにより、撃針を遊底内の待機位置まで復帰させる。
【０００８】蔓状カムが、撃針カムの前方に位置することによって、撃針の前進を制限し、その結果、撃針５の偶発的な作動による弾薬の暴発を防止する。
【発明の効果】
【０００９】撃発機構に必要な遊底の部品点数が減り製造コストが安い、遊底構造も単純なものになる。撃針の暴発防止機構が絶対に働く、機関砲を小口径にスケールダウンしても遊底の構造と蔓状カムの構造は変わらないので、新規の設計が不要になる。回転薬室型機関砲、カムドラム駆動型機関砲の遊底に使用できる。
【発明の最良の形態】
【００１０】本発明の形態を細かく説明するために、図５図６図９図１０に示すような、回転薬室型機関砲に本発明を使用した場合を想定して行う。
【００１１】（本例では）外部駆動機１２によって行なわれる、薬室ドラム２の１回転３６０度の回転に基づく遊底の動作をＡ、Ｂ、Ｃ、Ｄの４つに分け、１つ９０度に分けて説明する。
【００１２】円柱形のフレーム１３には送弾機１３ａがＣの位置に備え付けられ、フレーム１３には軸受け１１、１０によりフレーム１３に回転自在な薬室ドラム２を設けている。薬室ドラム２は同円周上（本例の場合、図５のように）に４本の砲身１を備え付け、砲身１の薬室１ａに弾薬３の装填が可能なように、砲身１の中心軸線に弾薬保持部９ａを配置し、砲身１の薬室１ａと対応する遊底４を遊底保持部１４に設けている。
【００１３】遊底４内には遊底４の先端面４ａから、撃発バネ６の弾性力により遊底４の貫通孔４ｂから突出できる撃針５を設ける。
【００１４】撃針５には撃針カム５ａを設ける。この撃針カム５ａは（本例の場合）撃針５の下部から遊底４の底面を貫通し、無端蔓状カム８ｃの、後部に係合することによって撃針５の前進移動の制限を行う。遊底４の構造は図１図２で示す
【００１５】撃針カム５ａの先端は無端蔓状カム８ｃと円滑に接地を行うために、（本例では）先端の接地部５ｃを図４のように球状とした。
【００１６】遊底保持部１４は両側面から弾薬保持部９ａ内で往復可能な遊底４を挟み、フレーム１３内部にカムドラム８を備え付けられるように中空状のドームを形成して薬室ドラム２に固定されている。
【００１７】中空状のドームの内側にはフレーム１３に固設されたカムドラム８が図９〜１０で示すように固設されている。カムドラム８の外周には遊低４を弾薬保持部９ａ内で前進、後退の往復運動をさせるために、遊底カム７に対応する無端蔓状カム溝（カム溝Ｇだが必ずしもカムドラム８に設ける必要は無い。フレーム１３に設けてもよい。）Ｇと、もう一つ、撃針カム５ａと係合し、遊底４内での撃針５の前進の制限を行なう無端蔓状カム８ｃを設けている。
【００１８】  無端蔓状カム８ｃの撃針カム５ａとの係合部８ｄの形状は、撃針カム５ａとの係合を円滑に行うために（本例では）図４のような半球状の立体面である。
【００１９】無端蔓状カム８ｃは図４で示すように撃針カム５ａの前方に位置するので、撃針５の遊底４内での前進を制限している。遊底４は遊底保持部１４が薬室ドラム２に固定されていることに基づいて、遊底４の弾薬保持部９ａ内での往復運動の際に、撃針カム５ａが無端蔓状カム８ｃを乗り越えて前進することを不可能とさせる。それに基づいて撃針５は撃発位置Ａまでは前進が不可能となる。その結果、撃針５の偶発的な作動による弾薬３の暴発を防止する効果を遊底４は得ることになる。この詳細を図３に示す。
【００２０】弾薬３の給弾は図６で示す給弾機１３ａによりＣの位置で行なわれ、薬室ドラム２の右回転の運動によって遊底がＣの位置で最も後退位置をとるとき、弾薬保持部９ａが弾薬保持部９ａ３の位置に来ることにより弾薬３を給弾していく。
【００２１】そして撃発位置Ａに薬室１ａ１が、１ａ２、１ａ３、１ａ４と順に到達した時、各々の薬室に対応する遊底４の撃針５を撃発可能な状態にする必要があるので、撃針カム５ａを無端蔓状カム８ｃから解放するために、無端蔓状カム８ｃを撃発位置Ａで撃針５の進行方向を妨害できないように曲げることにより形成した、撃針解放位置８ｅを無端蔓状カム８ｃの撃発位置Ａに設けている。
【００２２】無端カム８ｃの撃針解放位置８ｅから解放された撃針５は、図２で示すように遊底４内で前進移動可能となり、遊底４内で縮められていた撃発バネ６の弾性力を前方に解放し、撃発位置Ａで弾薬３の撃発を行う。
【００２３】  撃針復帰機構は撃針カム５ａが無端蔓状カム８ｃより前進出来ない事に基づいて、Ａで撃発終了後、無端蔓状カム８ｃに徐々に後方に湾曲する形状をとらせ、先端５ｄが遊底４の前端面４ａ外に突出した状態の撃針５の、撃針カム５ａに後退位置をとらせる無端蔓状カム８ｃを係合させ、遊底４がＣの位置までに完全に後退し、弾薬３を弾薬保持部９ａに給弾する前に、撃針５を遊低４内の撃針待機位置５ｂまで後退させ、撃針５の先端５ｄを遊底４の貫通孔４ｂから突出不可能にさせる。
【００２４】それにともない撃発バネ６はＡの位置で撃発終了後、Ｃのまでの範囲で、遊底４内に撃針５により押し縮められ、撃発に必要な弾性力を得ることができる。
【００２５】撃針５の遊底４内での待機は、図３で示すＣ〜Ａまでの範囲行われる。撃針５がＣまでの範囲で遊底４内の５ｂまで後退した時、撃発バネ６の撃発に必要な弾性力を撃針解放位置８ｅまで維持させる役目を持つ。
【産業上の利用の可能性】
【００２６】遊底の撃発機構を構成する部品数が少ない。よって製造コストが安く、製造技術が低くても遊底の生産が容易になる。特に遊底自体が小型なので、５．５６ｍｍ口径の回転薬室型機関銃に、本発明を使用した場合、人間でも十分携帯可能なサイズと重量になる。
【図面の簡単な説明】
【００２７】
【００２８】
【図１】本発明を適用した遊底の撃針が、遊底内で待機位置をとっている断面図を示す。
【図２】本発明を適用した遊底の撃針が、前進位置で停止し、撃発機構の作動状態の断面図。
【図３】カム溝Ｇと無端蔓状カムの３６０度の展開図。
【図４】撃針カムの先端と無端蔓状カムの形状の側面図。
【図５】図８のＩＩ−ＩＩの線断面図。
【図６】図８のＩＩＩ−ＩＩＩの線断面図。
【図７】無端蔓状カムの斜視図
【図８】遊底の平面図。
【図９】回転薬室型機関砲の側面図。
【図１０】遊底と撃針カムの移動状態、無端蔓状カムの形状。
【符号の説明】
【００２９】１は砲身  １ａは薬室、２は薬室ドラム  ３は弾薬  ４は遊底  ４ａは遊底の先端面  ４ｂは貫通孔  ５は撃針  ５ａは撃針カム  ５ｂは撃針待機位置  ５ｃは撃針カムの先端  ５ｄは撃針の先端  ６は撃発バネ  ７遊底カム  ８はカムドラム  ８ｃは無端蔓状カム  ８ｅは撃針解放位置  ９ａは弾薬保持部  １０は軸受け  １２は駆動機  １３はフレーム  １３ａは給弾機  １３ｂは給弾部  １４遊底保持部  Ａ撃発位置  Ｂ薬莢の排出位置  Ｃ給弾位置  Ｄ装填位置  Ｇカム溝
【図１】
2005172407.tif 000003
【図２】
2005172407.tif 000004
【図３】
2005172407.tif 000005
【図４】
2005172407.tif 000006
【図５】
2005172407.tif 000007
【図６】
2005172407.tif 000008
【図７】
2005172407.tif 000009
【図８】
2005172407.tif 000010
【図９】
2005172407.tif 000011
2005172407.tif 000012